(57)【要約】【課題】洗濯時に発生する衣類からのリントを洗濯過程の中で確実に捕集し、洗濯の仕上がりに優れた洗濯機を提供する。【解決手段】洗濯水を溜める水受け槽１と、水受け槽１の内部に正逆回転自在に支持して内包された洗濯兼脱水槽２と、洗濯兼脱水槽２の内周面に設けられた複数個のバッフル３と、洗濯兼脱水槽２の内周面に突出して設けられた着脱可能なフィルター装置１５とを備え、フィルター装置１５は、洗濯兼脱水槽２の正逆回転方向に対向した両面に入水口２１と出水口２３を設け、洗濯水中のリントや異物を捕集する着脱可能なネット状のフィルター１９と、入水口２１を水圧で内側に開く開閉機構２２を有し、リントを確実に捕集するものである。【選択図】図１
2009247719.tif 000002
【特許請求の範囲】
【請求項１】
洗濯水を溜める水受け槽と、前記水受け槽の内部に正逆回転自在に支持して内包された洗濯兼脱水槽と、前記洗濯兼脱水槽の内周面に設けられた複数個のバッフルと、前記洗濯兼脱水槽の内周面に突出して設けられた着脱可能なフィルター装置とを備え、前記フィルター装置は、前記洗濯兼脱水槽の正逆回転方向に対向した両面に開口部と、洗濯水中のリントや異物を捕集する着脱可能なネット状のフィルターと、水圧で前記フィルター装置の内側に開くとともに逆方向からの水圧に対しては閉じるようにする開閉機構を前記開口部の一方に有したドラム式洗濯機。
【請求項２】
洗濯兼脱水槽の回転軸を仰角方向に傾けるとともに、フィルター装置は、前記洗濯兼脱水槽の内周面底面部側に配設した請求項１記載のドラム式洗濯機。
【請求項３】
フィルター装置は、洗濯兼脱水槽の底面部と内周面とにまたがるように配設した請求項１または２に記載のドラム式洗濯機。
【請求項４】
フィルター装置は、バッフルの近傍に配設するとともに、開閉機構のない開口部側が前記バッフルに対向するように配設した請求項１〜３のいずれか１項に記載のドラム式洗濯機。
【請求項５】
フィルター装置は、洗濯兼脱水槽の内周面からの高さをバッフルの高さよりも低くした請求項１〜４のいずれか１項に記載のドラム式洗濯機。
【請求項６】
フィルター装置は、開閉機構を有したネット状のフィルターを着脱自在に設けた請求項１〜５のいずれか１項に記載のドラム式洗濯機。
【発明の詳細な説明】
【技術分野】
【０００１】
本発明は、水平方向または仰角を有する軸まわりに回転駆動されるドラムで洗濯物の洗濯と遠心脱水とを行うドラム式洗濯機、またはドラム式洗濯乾燥機に関するものである。
【背景技術】
【０００２】
従来、この種のドラム式洗濯機は、バッフルと呼ばれるドラム内に設けられた仕切り構造体によって衣類を持ち上げた後、ドラム上方から落下させることによる機械的な“たたき洗い”といった方式により洗浄効果を上げている。
【０００３】
しかし、たたき洗いは、濡れた衣類の自重で高所から落下させることによる衝撃力によって衣類の汚れを落とす方式であるために、洗浄力は高くなるものの、衣類に対する衝撃力が強いため、リント（糸くず）が発生しやすくなり、発生したリントが排水口に詰まったり、洗濯している衣類に付着し洗濯の仕上がりを低下させたりするといった課題が存在していた。そのため、洗濯水中のリントを回収するためのフィルターが各種提案され、図６のように、取り外すことを可能としたバッフル３１の内部にフィルター３２を有する洗濯機も提案されている（例えば、特許文献１参照）。
【特許文献１】特開平８−４７５９３号公報
【発明の開示】
【発明が解決しようとする課題】
【０００４】
しかしながら、このような従来のドラム式洗濯機では、衣類の洗浄力を向上させるために、ドラムを一方向だけの回転駆動ではなく、定期的に繰り返し反転させたり、短時間で反転駆動させて洗濯を行う場合、洗濯時に発生する衣類からのリントを捕集するためにフィルター機構が設置されているものの、一旦フィルター部にて補修されたリントが、水流が反転することで再度洗濯水中に放出されるといった課題を有してした。
【０００５】
また、従来のフィルター機構においては、バッフルと一体化させ取り外し可能とすることにより濡れた衣類を攪拌、持ち上げたりするバッフル自身の構造的な強度が低下するといった課題が存在した。
【０００６】
本発明は上記課題を解決するもので、バッフルとは独立した構成からなるフィルター装置を有し、洗濯兼脱水槽であるドラムを定期的に繰り返し正逆回転させたり、短時間で反転駆動させた場合でも捕集したリントが洗濯水中に放出されることなく、洗濯物にリントが付着することのない仕上がりに優れた洗濯機とすることを目的としている。
【課題を解決するための手段】
【０００７】
前記従来の課題を解決するために、本発明の洗濯機は、洗濯水を溜める水受け槽と、前記水受け槽の内部に正逆回転自在に支持して内包された洗濯兼脱水槽と、前記洗濯兼脱水槽の内周面に設けられた複数個のバッフルと、前記洗濯兼脱水槽の内周面に突出して設けられた着脱可能なフィルター装置とを備え、前記フィルター装置は、前記洗濯兼脱水槽の正逆回転方向に対向した両面に開口部と、洗濯水中のリントや異物を捕集する着脱可能なネット状のフィルターと、水圧で前記フィルター装置の内側に開くとともに逆方向からの水圧に対しては閉じるようにする開閉機構を前記開口部の一方に有したものである。
【０００８】
これによって、洗濯兼脱水槽であるドラムを定期的に繰り返し正逆回転させたり、短時間で反転駆動させるような洗濯を実施した場合でも、捕集したリントが洗濯水中に再度放出されることはなく、洗濯物にリントが付着することのない仕上がりに優れた洗濯機とす
ることが可能となる。
【発明の効果】
【０００９】
本発明によれば、フィルター装置により捕集したリントをフィルター装置の外部に出にくくすることができ、つねに洗濯水中のリントを除去・低減していく事が可能となり、洗濯衣類の仕上がりに優れた洗濯機を提供することが可能となる。
【発明を実施するための最良の形態】
【００１０】
第１の発明は、洗濯水を溜める水受け槽と、前記水受け槽の内部に正逆回転自在に支持して内包された洗濯兼脱水槽と、前記洗濯兼脱水槽の内周面に設けられた複数個のバッフルと、前記洗濯兼脱水槽の内周面に突出して設けられた着脱可能なフィルター装置とを備え、前記フィルター装置は、前記洗濯兼脱水槽の正逆回転方向に対向した両面に開口部と、洗濯水中のリントや異物を捕集する着脱可能なネット状のフィルターと、水圧で前記フィルター装置の内側に開くとともに逆方向からの水圧に対しては閉じるようにする開閉機構を前記開口部の一方に有したものである。
【００１１】
これによって、開閉機構を有する開口部より流入する洗濯水中に存在するリントは全てフィルター装置内部のネット状のフィルターによって捕集され、洗濯兼脱水槽が反転した際にも洗濯水からの水圧によって前記開閉機構が閉じられることで捕集したリントがフィルター装置より外部には出ることが無く、つねに洗濯水中のリントを除去・低減していく事が可能となり、洗濯衣類の仕上がりに優れた洗濯機を提供することが可能となる。
【００１２】
第２の発明は、第１の発明において、洗濯兼脱水槽の回転軸を仰角方向に傾けるとともに、フィルター装置は、前記洗濯兼脱水槽の内周面底面部側に配設したことにより、フィルター装置に洗濯水が流れ込みやすくなり、洗濯水中に存在するリントを捕集しやすく、洗濯兼脱水槽の回転と共に効率よくリントを除去することが可能となり、洗濯兼脱水槽が水平面より衣類の取り出し口に向けて仰角を有する構造の場合には、底面部周辺に洗濯水が集まることとなるため、より効率よく洗濯水中のリントを捕集しやすくなる。
【００１３】
第３の発明は、第１または第２の発明において、フィルター装置は、洗濯兼脱水槽の底面部と内周面とにまたがるように配設したものであり、洗濯水が少ない場合でも底面部周辺に集中する洗濯水のフィルター装置への流入が可能となり、洗濯水中のリントの捕集効率に優れた洗濯時の仕上がりの良い洗濯機を提供することが可能となる。
【００１４】
また、洗濯兼脱水槽の回転軸が水平面に対して投入扉に向かって仰角を有するように設置された場合には、槽の最下部に位置することとなり、洗濯水が特に少ない場合でも洗濯水位の最も高い領域にフィルター装置が位置するため、フィルター内へ流入する洗濯水量を多くすることが可能となり、洗濯水中のリントの捕集効率に優れた洗濯時の仕上がりの良い洗濯機を提供することができる。
【００１５】
第４の発明は、第１〜第３のいずれか１つの発明において、フィルター装置は、バッフルの近傍に配設するとともに、開閉機構のない開口部側が前記バッフルに対向するように配設したものであり、洗濯兼脱水槽の回転方向が変化し、開閉機構が設けられていない開口部側からフィルター装置内に洗濯水が流入するような場合においても、バッフルによって洗濯水の流れが邪魔されてフィルター装置の開閉機構のない開口部側からの流入量が低減されることにより、ネット状のフィルターに捕集されていたリントが剥がされにくくなるとともに、開閉機構のない開口部側のフィルター装置内部に集積するリント量も低減されてフィルター装置の捕集効率の低下が少なくなることで、洗濯時の衣類に対するリントの再付着の少ない仕上がりの良い洗濯機を提供することができる。
【００１６】
第５の発明は、第１〜第４のいずれか１つの発明において、フィルター装置は、洗濯兼脱水槽の内周面からの高さをバッフルの高さよりも低くしたものであり、開閉機構の無い開口部より流入する洗濯水量を、バッフルを障壁とすることにより低減させ、フィルター装置のフィルターの裏側に捕集されることで再び洗濯水に流出する可能性のあるリント量を減らすことができ、かつフィルター装置内の汚れを防ぎ、リントの捕集性能を維持することができる。さらに、回転しながら濡れた衣類から受ける圧力もバッフルの高さより低くすることによって低減し、フィルター装置に対する信頼性を高めることができる。
【００１７】
第６の発明は、第１〜第５のいずれか１つの発明において、フィルター装置は、開閉機構を有したネット状のフィルターを着脱自在に設けたものであり、フィルターの着脱が簡便になり捕集されたリントを洗浄する際の利便性に優れた洗濯機を提供することができる。
【００１８】
以下本発明の実施の形態について、図面を参照しながら説明する。なお、本発明は本実施の形態によって限定されるものではない。
【００１９】
（実施の形態１）
図１は、本実施の形態１における洗濯機の側面からみた概略縦断面図である。図中１は水受け槽、２は洗濯兼脱水槽、３はバッフル、４はモーター、５は小孔、１５はフィルター装置、１６は洗濯物を出し入れするための扉、１７は任意の洗濯量において設定された洗濯水位である。本実施の形態においては水受け槽１及び洗濯兼脱水槽２の回転軸を水平方向から扉１６側に向かって仰角となるように構成しているが、水平であっても問題は無い。
【００２０】
また、図２はフィルター装置１５のより詳細な正面方向（扉側）からみた概略断面図である。図中、１８はフィルター取り付け部、１９はフィルター、２０はフィルター装置内に設けられたフィルターを配設するための配設路、２１はフィルターにてろ過される前の洗濯水が流れ込む入水口、２２は開閉機構、２３はフィルターにてろ過された洗濯水が出て行く出水口である。矢印は洗濯兼脱水槽２がある方向に回転した際に発生する洗濯水の流れを示している。以下に本実施の形態における動作を説明する。
【００２１】
図１に示されるようにドラム式の洗濯機は水受け槽１内に回転自在に洗濯兼脱水槽２が内包され洗濯物は扉１６を開けて洗濯兼脱水槽２内に収納される。運転が開始されると洗濯物の重量が検出された後、図中省略されているが給水機構によって適当量の水が導入される。洗濯兼脱水槽の内周面には濡れた衣類を持ち上げて高所より落下させるためのバッフル３が複数個固定されて均等な間隔で配設されており、モーター４によって洗濯兼脱水槽２が回転する。
【００２２】
本発明のフィルター装置１５はバッフル３の近傍に取り付けられている。本実施の形態においては、洗濯兼脱水槽２の回転軸が扉１６方向に向かって水平軸に対して仰角を持っているために注水された洗濯水は洗濯兼脱水槽２の奥ほど水位が高くなっている。
【００２３】
ここで、フィルター装置１５は図２に示されるような構成を持ち、入水口２１がある面を近傍のバッフル３と対向する面とは反対側に向け、出水口２３がある面をバッフル３と対向させている。
【００２４】
洗濯兼脱水槽２の回転によって発生する洗濯水の流れは洗濯兼脱水槽２の回転とは逆方向の向きとなり、図１においてバッフル３が手前側に回転するとした場合に、洗濯水は紙面手前側より奥側へと移動する。
【００２５】
図２中の矢印は洗濯水の動きを示しており、リントも含んだ洗濯水が水圧によって開閉機構２２を押し開き、洗濯水はフィルター装置１５内に入水し、ネット状のフィルター１９を通過して出水口２３より排水される。この時洗濯水中のリントはフィルター１９に捕集される。同一方向の回転が続いている間は、この捕集操作が続けられ、反転した場合には出水口２３より同様に洗濯水が流れ込むこととなるが、この時には開閉機構２２が内部より圧力を受けることとなるが、フィルター装置１５の外に向かって開く構造となっていないために一度捕集されたリントが再び洗濯水中に遊離することはない。
【００２６】
また、図１における小孔５は脱水時に水が遠心力によって除去される際に、除去された水が抜ける孔として設けられているが本発明においては関係ないことであり説明を省略する。
【００２７】
さらに、図１のように、洗濯兼脱水槽２の底面部ｂの周縁部に配設することにより洗濯物が少なく、洗濯水量が少ない場合でもフィルター装置１５内に流入する洗濯水量を増やすことができ、洗濯水中のリントを効率よく捕集して除去することができる。
【００２８】
さらに図３は本発明のフィルター装置の配設場所についての他の例である。図中ａは洗濯兼脱水槽２の内周面側、ｂは底面部をあらわしている。このようにフィルター装置１５を洗濯兼脱水槽の底面部と内周面部とにまたがるように配設することで、洗濯水量が特に少ない場合でも洗濯水中のリントを効率よく捕集して除去することができる。
【００２９】
また、図３で示されるような配設の場合では、洗濯兼脱水槽２がその回転軸を水平面に対して仰角を持つように設置されている時、洗濯兼脱水槽２の底面部ｂとフィルター装置１５の間が密着しているのでそこに洗濯水が存在せず、その分洗濯水の水位が高くなることで、洗濯水量が特に少ない場合により一層効果が上がることとなる。
【００３０】
なお、図３においては三角形の開閉機構としているが、本発明の場合には、開閉機構の形状が特に限定されるものではなく、スリットの形状であっても四角い形状であっても特に問題はない。
【００３１】
また、図４は本発明のフィルター装置の配設場所についてのさらに他の例で、扉側から槽底面に向かってみた際の概略断面図となっている。図中の番号は図１及び図２に示されているものと同じものをあらわしている。フィルター装置１５はバッフル３の洗濯兼脱水槽内周面からの高さよりも低く、バッフル３と近接して配設され、かつフィルター１９が取り付けられていない出水口２３の面が近接するバッフル３の面と対向するように配設されている。
【００３２】
洗濯水が注入され、時計回りに洗濯兼脱水槽２が回転した場合、洗濯水は紙面上左から右へと移動し、入水口２２から勢いよく水が流れ込み、効率的にリントを捕集することができる。さらに、反転して反時計回りに洗濯兼脱水槽２が回転し始めると、洗濯水は紙面上右から左へと移動するが、洗濯水はバッフル３が壁となるため、出水口２３から入る水の勢いが抑えられるため、時計回りに洗濯兼脱水槽２が回転した場合に入水口２２から入ってくる場合の水の勢いよりも弱めることができる。さらに、バッフル３を乗り越えて水流が出水口２３からフィルター装置１５内部へと浸入するが、洗濯水による圧力で開閉機構２２は閉じられているため、フィルター１９に捕集されたリントが仮にフィルター面から離れたとしても、再び洗濯水中に放出されることはない。
【００３３】
また、洗濯水は紙面上右から左へと移動しても、洗濯水流がフィルター装置１５を通り抜けることがなく、時計回りに洗濯兼脱水槽２が回転したときに洗濯水が紙面上左から右に移動するため、フィルター１９の裏側からたまるリントは少なく、フィルター装置１５
に対する影響は小さいものとなっている。
【００３４】
さらに開閉機構２２がフィルター装置１５内部に向かって水圧で開くことより、フィルター装置１５に衣類がのった場合でも、洗濯水の流入に影響はなく、リントを捕集することができる。
【００３５】
次に図５は、本発明のフィルター装置の配設場所についてのさらに別の例としてバッフル３に組み込んだものである。図中の番号は図１及び図２に示されているものと同じものをあらわしている。これまでの他の例においても同様であるが、フィルター１９はフィルター取り付け部１８によってフィルター装置を構成するケースやバッフル３に取り付けられており、取り外しも可能となっている。また、フィルター１９を組み込むための配設路２０がケースあるいはバッフルに設けられている、その配設路に沿ってフィルター１９が組み込まれている。フィルターの大きさは特に限定されるものではないが、フィルター装置１５として構成する場合には、先に記したようにバッフルに対する高さの制約が存在している。
【００３６】
また、本図でしめされるようにバッフルの内部に組み込んだ場合には、同一の構成部品において兼用させることができるため、開口面積を大きくしたり、フィルター装置１５の配設数を簡単に増やすことができ、洗濯水中のリントを効率よく捕集することが可能となる。
【産業上の利用可能性】
【００３７】
以上に述べた通り、本発明のドラム式洗濯機は、洗濯時に発生するリントを確実に捕集し、洗濯兼脱水槽が急な反転や定期的に回転方向を変化させた際においても、捕集したリントを洗濯水中に再放出しないことから、リントを捕集するためのあらゆる洗濯機に適用できる。
【図面の簡単な説明】
【００３８】
【図１】本発明の実施の形態１におけるドラム式洗濯機の側面からみた概略縦断面図
【図２】本発明の実施の形態１におけるフィルター装置の正面からみた概略断面図
【図３】本発明の実施の形態１におけるフィルター装置の他の配設形態の一例を示す概略斜視図
【図４】本発明の実施の形態１におけるフィルター装置の他の配設形態の一例を示す洗濯兼脱水槽の扉方向正面よりみた概略断面図
【図５】本発明の実施の形態１におけるフィルター装置をバッフルに組み込んだ状態を示す正面からみた概略断面図
【図６】従来のドラム式洗濯機に設置されたフィルター部の概略斜視図
【符号の説明】
【００３９】
１  水受け槽
２  洗濯兼脱水槽
３  バッフル
４  モーター
１５  フィルター装置
１６  扉
１７  洗濯水位
１８  フィルター取り付け部
１９  フィルター
２０  フィルター配設路
２１  入水口（開口部）
２２  開閉機構
２３  出水口（開口部）
２５  開閉機構
【図１】
2009247719.tif 000003
【図２】
2009247719.tif 000004
【図３】
2009247719.tif 000005
【図４】
2009247719.tif 000006
【図５】
2009247719.tif 000007
【図６】
2009247719.tif 000008